(57)【要約】【課題】情報の欠落を生じさせることなく確実かつ効率良く文字画像の静止画像を取り込み得るテレビを提供する。【解決手段】表示装置３に表示された動画像から静止画像を取り込んで静止画像メモリ６３に記録する記録制御部６１を備え、記録制御部６１は、動画像としての文字画像が表示装置３にスクロール表示されている状態において記録を指示する赤外線操作信号Ｓｉを入力したときに文字画像の静止画像を静止画像メモリ６３に記録すると共に、文字画像がスクロールの方向に沿って表示装置３の１画面分だけスクロールされる毎に文字画像の静止画像を静止画像メモリ６３に記録する。【選択図】図１
2005322978.tif 000002
【特許請求の範囲】
【請求項１】
表示部に表示された動画像から静止画像を取り込んで第１記録部に記録する記録制御部を備え、
前記記録制御部は、前記動画像としての文字画像が前記表示部にスクロール表示されている状態において記録指示信号を入力したときに当該文字画像の静止画像を前記第１記録部に記録すると共に、当該文字画像が前記スクロールの方向に沿って前記表示部の１画面分だけスクロールされる毎に当該文字画像の静止画像を前記第１記録部に記録するテレビ。
【請求項２】
前記文字画像を構成する画像フレームを記録する第２記録部を備え、
前記記録制御部は、前記画像フレームのフレーム周期に同期して、前記第２記録部に前記画像フレームを更新記録すると共に、当該更新記録させた画像フレームと前記第１記録部に記録されている前記文字画像の最新の静止画像とを比較することによって当該文字画像の前記１画面分のスクロールを検出する請求項１記載のテレビ。
【請求項３】
前記記録制御部は、前記記録指示信号の入力時点から所定時間が経過したとき、および前記文字画像のスクロール表示が終了したときのいずれかのときに前記第１記録部に対する前記静止画像の記録を停止する請求項１または２記載のテレビ。
【請求項４】
前記第１記録部に記録されている前記文字画像の静止画像を静止画像表示指示信号を入力したときに前記表示部に表示させる表示制御部を備えている請求項１から３のいずれかに記載のテレビ。
【請求項５】
印刷指示信号を入力したときに前記第１記録部に記録されている前記文字画像の静止画像をプリンタに印刷させる印刷制御部を備えている請求項１から４のいずれかに記載のテレビ。
【発明の詳細な説明】
【技術分野】
【０００１】
本発明は、表示部に表示されている動画像から静止画像を取り込んで記録するテレビに関するものである。
【背景技術】
【０００２】
表示部に表示されている動画像から静止画像を取り込む装置として、特開２００１−５４０５３号公報に開示された静止画キャプチャー装置（以下「キャプチャー装置」ともいう）が知られている。このキャプチャー装置は、予め設定された一定時間間隔で常に静止画像をキャプチャーして（取り込んで）表示用フレーム格納部に記録すると共に、記録した静止画像を表示装置に表示可能に構成されている。このため、このキャプチャー装置では、キャプチャーを指示するキー操作のタイミングが多少ずれたとしても、キー操作時点の前後において記録された複数の静止画像の中から所望の静止画像を選択して表示させることが可能となっている。
【特許文献１】特開２００１−５４０５３号公報（第４−６頁、第１図）
【発明の開示】
【発明が解決しようとする課題】
【０００３】
ところが、従来のキャプチャー装置には、以下の問題点がある。すなわち、このキャプチャー装置では、予め設定された一定時間間隔で静止画像を常にキャプチャーして記録している。この場合、表示装置の１画面内に表示されている画像から静止画像を取り込む際には、キー操作のタイミングが多少ずれたとしても、所望の静止画像を表示可能なものの、例えば、画面の右側から左側に向かってスクロール表示される文字画像のように、１画面では表示しきれない画像を取り込む際には不都合がある。具体的には、例えば、文字画像が１画面分だけスクロールする時間よりもキャプチャーの時間間隔が長いときには、文字画像の一部が取り込まれずに欠落するという問題点がある。一方、キャプチャーの時間間隔が短いときには、静止画像の一部が互いに重複して数多くの静止画像が取り込まれる結果、静止画像を記録する表示用フレーム格納部のメモリが無駄に消費されるという問題点も存在する。
【０００４】
本発明は、かかる問題点に鑑みてなされたものであり、情報の欠落を生じさせることなく確実かつ効率良く文字画像の静止画像を取り込み得るテレビを提供することを主目的とする。
【課題を解決するための手段】
【０００５】
上記目的を達成すべく本発明に係るテレビは、表示部に表示された動画像から静止画像を取り込んで第１記録部に記録する記録制御部を備え、前記記録制御部は、前記動画像としての文字画像が前記表示部にスクロール表示されている状態において記録指示信号を入力したときに当該文字画像の静止画像を前記第１記録部に記録すると共に、当該文字画像が前記スクロールの方向に沿って前記表示部の１画面分だけスクロールされる毎に当該文字画像の静止画像を前記第１記録部に記録する。
【０００６】
このテレビによれば、記録制御部が、記録制御部に記録指示信号を入力したときに文字画像の静止画像を第１記録部に記録すると共に、文字画像が表示部の１画面分だけスクロールされる毎に文字画像の静止画像を第１記録部に記録することにより、スクロール速度に拘わらず、文字画像の静止画像を欠落を生じさせることなく表示部の１画面に表示される分量ずつ確実に記録することができる。また、各静止画像内に互いに重複する部分が生じないため、文字画像内の全ての文字情報を必要最小限の数の静止画像で効率良く記録することができる。したがって、第１記録部のメモリの消費量を十分に低減することができる。
【０００７】
また、本発明に係るテレビは、上記のテレビにおいて、前記文字画像を構成する画像フレームを記録する第２記録部を備え、前記記録制御部は、前記画像フレームのフレーム周期に同期して、前記第２記録部に前記画像フレームを更新記録すると共に、当該更新記録させた画像フレームと前記第１記録部に記録されている前記文字画像の最新の静止画像とを比較することによって当該文字画像の前記１画面分のスクロールを検出する。
【０００８】
このテレビによれば、記録制御部が、第２記録部に更新記録させた画像フレームと第１記録部に記録されている文字画像の最新の静止画像とを比較することによって文字画像の１画面分のスクロールを検出することにより、簡易な構成でありながら文字画像の１画面分のスクロールを確実に検出することができる。
【０００９】
また、本発明に係るテレビは、上記のテレビにおいて、前記記録制御部は、前記記録指示信号の入力時点から所定時間が経過したとき、および前記文字画像のスクロール表示が終了したときのいずれかのときに前記第１記録部に対する前記静止画像の記録を停止する。
【００１０】
このテレビによれば、記録制御部が、記録指示信号の入力時点から所定時間が経過したとき、および文字画像のスクロール表示が終了したときのいずれかのときに第１記録部による静止画像の記録を停止させることにより、例えば、記録停止の操作をし忘れて不要な画像が継続して記録されることに起因する第１記録部の記録効率の低下を確実に防止することができる。
【００１１】
また、本発明に係るテレビは、上記のテレビにおいて、前記第１記録部に記録されている前記文字画像の静止画像を静止画像表示指示信号を入力したときに前記表示部に表示させる表示制御部を備えている。
【００１２】
このテレビによれば、表示制御部が、静止画像表示指示信号を入力したときに、第１記録部に記録されている文字画像の静止画像を表示部に表示させることにより、文字の重複や欠落のない静止画像を任意に表示させることができるため、例えば、テレビ番組中に文字で表示された各種の情報を確実に認識させることができる。
【００１３】
さらに、本発明に係るテレビは、上記のテレビにおいて、印刷指示信号を入力したときに前記第１記録部に記録されている前記文字画像の静止画像をプリンタに印刷させる印刷制御部を備えている。
【００１４】
このテレビによれば、印刷制御部が、印刷指示信号を入力したときに第１記録部に記録されている文字画像の静止画像をプリンタに印刷させることにより、文字の重複および欠落のない静止画像を確実に印刷することができる。
【発明を実施するための最良の形態】
【００１５】
以下、本発明に係るテレビの最良の形態について、添付図面を参照して説明する。図１に示すテレビ１は、本発明に係るテレビの一例であって、リアプロジェクション方式でスクリーンパネル３３にテレビ画像を表示すると共に、スクリーンパネル３３に表示しているテレビ画像（動画像）を任意の時点で静止画像にして画像記録装置６に取り込み可能に構成されている。具体的には、テレビ１は、チューナ２、表示装置３、音声出力装置４、主制御部５、画像記録装置６、プリンタ７およびリモコン８を備えて構成されている。
【００１６】
チューナ２は、図外のアンテナを介して入力した放送信号Ｓｂからリモコン８の操作によって指定されたチャンネルの画像データＤｇおよび音声データＤｖを抽出して主制御部５に出力する。表示装置３は、表示制御部３１、光学エンジン３２およびスクリーンパネル３３を備えて構成されている。表示制御部３１は、主制御部５によって転送された画像データＤｇに基づいて、例えば、図２に示すテレビ画像Ｐｔ（本発明における動画像に相当する）を表示させるための表示用画像信号Ｓｅを生成して光学エンジン３２に出力する。光学エンジン３２は、表示制御部３１から出力された表示用画像信号Ｓｅに基づいて変調した投射光Ｌを射出する。具体的には、光学エンジン３２は、例えば、光源と、光源からの光を画像表示可能な投射光Ｌに変調する変調手段（一例として、透過型液晶パネルを備えた液晶ライトバルブ）と、投射光Ｌを拡大する投射レンズ（いずれも図示せず）とを備えて構成されている。スクリーンパネル３３は、本発明における表示部に相当し、光学エンジン３２から射出されて図外の反射ミラーによって反射された投射光Ｌを受光して拡散または略平行光に変換することにより、各種テレビ画像Ｐｔを表示する。音声出力装置４は、アンプ４１およびスピーカ４２を備えて構成されている。アンプ４１は、主制御部５によった転送された音声データＤｖに基づいて音声信号Ｓｖを生成してスピーカ４２に出力し、スピーカ４２は、音声信号Ｓｖに基づく音声を出力する。
【００１７】
主制御部５は、チューナ２から出力された画像データＤｇを表示装置３に転送すると共に、チューナ２から出力された音声データＤｖを音声出力装置４に転送する。また、主制御部５は、リモコン８から出力された赤外線操作信号Ｓｉに従って制御信号Ｓｃを出力することにより、表示装置３、音声出力装置４、画像記録装置６およびプリンタ７を制御する。この場合、主制御部５は、リモコン８から静止画像の記録（取り込み）を指示する赤外線操作信号Ｓｉ（本発明における記録指示信号）が出力されたときには、画像データＤｇを画像記録装置６に転送すると共に、画像記録装置６を制御して画像記録処理を実行させる。また、主制御部５は、リモコン８から静止画像の表示を指示する赤外線操作信号Ｓｉ（本発明における静止画像表示指示信号）が出力されたときには、表示装置３を制御して画像記録装置６の静止画像メモリ６３に記録されている静止画像データＤｓに基づく静止画像Ｐｓ（図７参照）を表示させる。また、主制御部５は、リモコン８から印刷を指示する赤外線操作信号Ｓｉ（本発明における印刷指示信号）が出力されたときには、プリンタ７を制御して静止画像データＤｓに基づく静止画像Ｐｓを印刷させる。
【００１８】
画像記録装置６は、図１に示すように、記録制御部６１、バッファ（本発明における第２記録部）６２および静止画像メモリ６３を備えて構成されている。記録制御部６１は、主制御部５から出力された制御信号Ｓｃに従って画像記録処理を実行する。具体的には、記録制御部６１は、制御信号Ｓｃが出力された時点において表示装置３に表示されているテレビ画像Ｐｔに対応する画像データＤｇを静止画像データＤｓとして静止画像メモリ６３に記録する。つまり、記録制御部６１は、制御信号Ｓｃが出力された時点におけるテレビ画像Ｐｔを静止画像Ｐｓにして（本発明における「動画像から静止画像を取り込んで」に相当する）静止画像メモリ６３に記録する。また、記録制御部６１は、主制御部５によって転送される画像データＤｇをその転送周期に同期してバッファ６２に更新記録する。つまり、記録制御部６１は、テレビ画像Ｐｔを構成する画像フレームをそのフレーム周期に同期してバッファ６２に記録する。また、記録制御部６１は、例えば図３に示すように、スクロール表示されている文字画像Ｐｃ１（以下、後述する文字画像Ｐｃ２〜Ｐｃ４と区別しないときには「文字画像Ｐｃ」ともいう）がテレビ画像Ｐｔ内に含まれているときには、静止画像メモリ６３に記録されている最新の静止画像データＤｓと更新記録させた画像データＤｇとを比較することにより、文字画像Ｐｃが表示装置３（スクリーンパネル３３）内において１画面分だけスクロールしたか否かを検出して、１画面分のスクロールを検出する毎に、その時点におけるテレビ画像Ｐｔに対応する画像データＤｇ（その時点におけるテレビ画像Ｐｔ）を静止画像データＤｓ（静止画像Ｐｓ）として静止画像メモリ６３に記録する。バッファ６２は、記録制御部６１の制御に従って画像データＤｇを更新記録する。静止画像メモリ６３は、本発明における第１記録部に相当し、記録制御部６１の制御に従って静止画像データＤｓを記録する。
【００１９】
プリンタ７は、印刷制御部７１および印刷機構７２を備えて構成されている。印刷制御部７１は、主制御部５の制御信号Ｓｃに従い、主制御部５によって転送された静止画像データＤｓに基づく印刷用データＤｐを印刷機構７２に出力することにより、静止画像Ｐｓを印刷機構７２に印刷させる。印刷機構７２は、印刷制御部７１の制御下で静止画像Ｐｓを印刷する。
【００２０】
リモコン８は、図２に示すように、電源ボタン８１ａ、記録ボタン８１ｂ、選局ボタン８１ｃ，８１ｃ・・、静止画像表示ボタン８１ｄ、印刷ボタン８１ｅおよび消去ボタン８１ｆなどの各種操作ボタンが配列されて構成され、これらの操作ボタンが操作されたときに、各操作ボタンに対応する赤外線操作信号Ｓｉを出力する。
【００２１】
次に、テレビ１の全体的な動作について、図面を参照して説明する。このテレビ１では、リモコン８の電源ボタン８１ａが操作されたときには、リモコン８が電源ボタン８１ａに対応する赤外線操作信号Ｓｉを出力する。これに応じて、図外の電源回路から電源が供給されて、各構成要素が作動する。次いで、チューナ２が、例えば、電源が直前に切断されたときに選局されていたチャンネルの画像データＤｇおよび音声データＤｖを、図外のアンテナを介して入力した放送信号Ｓｂから抽出して主制御部５に出力する。続いて、主制御部５は、画像データＤｇを表示装置３に転送すると共に、音声データＤｖを音声出力装置４に転送する。次に、表示装置３の表示制御部３１が、画像データＤｇに基づいて表示用画像信号Ｓｅを生成して光学エンジン３２に出力する。これに応じて、光学エンジン３２の変調手段が光源からの光を表示用画像信号Ｓｅに基づいて投射光Ｌに変調し、投射レンズが投射光Ｌを拡大する。これにより、スクリーンパネル３３に投射光Ｌが投射されて、図２に示すように、テレビ画像Ｐｔが表示される。また、音声出力装置４のアンプ４１が音声データＤｖを入力して音声信号Ｓｖを出力することにより、スピーカ４２から音声信号Ｓｖに基づく音声が出力される。
【００２２】
次に、リモコン８の選局ボタン８１ｃが操作されたときには、主制御部５は、その選局ボタン８１ｃに対応するチャンネルの画像データＤｇおよび音声データＤｖをチューナ２に抽出させる。次いで、主制御部５がチューナ２から出力された画像データＤｇおよび音声信号Ｓｖを表示装置３および音声出力装置４にそれぞれ転送することにより、操作された選局ボタン８１ｃに対応するチャンネルのテレビ画像Ｐｔが表示されると共に、そのチャンネルの音声が出力される。
【００２３】
続いて、図３に示すように、例えば、スクリーンパネル３３の右側から左側に向かってスクロールする文字画像Ｐｃ１を含むテレビ画像Ｐｔが表示されて、そのテレビ画像Ｐｔを静止画像Ｐｓ（本発明における文字画像の静止画像）にして記録させるときには、リモコン８の記録ボタン８１ｂを操作する。これに応じて、リモコン８が、記録ボタン８１ｂに対応する赤外線操作信号Ｓｉ（記録指示信号）を出力する。次に、主制御部５は、赤外線操作信号Ｓｉに従い、画像記録装置６に対する画像データＤｇの転送を開始すると共に、画像記録処理を実行させる制御信号Ｓｃを画像記録装置６に出力する。これに応じて、画像記録装置６の記録制御部６１が、画像記録処理を実行する。この画像記録処理では、記録制御部６１は、制御信号Ｓｃを入力した時点において表示装置３に表示されている文字画像Ｐｃ１を含むテレビ画像Ｐｔに対応する画像データＤｇを静止画像データＤｓとして静止画像メモリ６３に記録する。また、記録制御部６１は、テレビ画像Ｐｔを構成する画像フレームのフレーム周期（一例として、１／３０秒）に同期して画像データＤｇをバッファ６２に更新記録する更新記録処理を開始する。この際に、記録制御部６１は、静止画像メモリ６３に記録されている最新の静止画像データＤｓ（この場合、制御信号Ｓｃを入力した時点において記録させた静止画像データＤｓ）とバッファ６２に更新記録させた画像データＤｇとを更新毎に比較して、例えば、文字画像Ｐｃ内の右端の文字または図柄（同図に示す文字画像Ｐｃ１では、半円の図柄）の表示位置の移動を検出することにより、文字画像Ｐｃが表示装置３のスクリーンパネル３３内において１画面分だけスクロールしたか否かを検出する検出処理を開始する。
【００２４】
次いで、図４に示すように、文字画像Ｐｃがスクリーンパネル３３の１画面分だけスクロールしたときには、記録制御部６１は、そのスクロールを検出して、その時点におけるテレビ画像Ｐｔ（同図に示す文字画像Ｐｃ２を含むテレビ画像Ｐｔ）に対応する画像データＤｇを静止画像データＤｓとして静止画像メモリ６３に記録する。続いて、記録制御部６１は、検出処理を引き続いて実行する。次に、図５に示すように、文字画像Ｐｃ３がスクリーンパネル３３の１画面分だけさらにスクロールしたときには、記録制御部６１は、そのスクロールを検出して、その時点におけるテレビ画像Ｐｔ（同図に示す文字画像Ｐｃ３を含むテレビ画像Ｐｔ）に対応する画像データＤｇを静止画像データＤｓとして静止画像メモリ６３に記録する。
【００２５】
次いで、図６に示すように、文字画像Ｐｃのスクロール表示が終了したときには、記録制御部６１は、スクロールの停止を検出して、その時点におけるテレビ画像Ｐｔ（同図に示す文字画像Ｐｃ４を含むテレビ画像Ｐｔ）に対応する画像データＤｇを静止画像データＤｓとして静止画像メモリ６３に記録させた後に、記録処理を停止する。
【００２６】
続いて、記録させた静止画像Ｐｓを表示させるときには、リモコン８の静止画像表示ボタン８１ｄを操作する。これに応じて、リモコン８が、静止画像表示ボタン８１ｄに対応する赤外線操作信号Ｓｉ（静止画像表示指示信号）を出力する。次に、主制御部５は、赤外線操作信号Ｓｉに従い、画像記録装置６の静止画像メモリ６３に記録されている静止画像データＤｓを記録制御部６１を介して読み出して表示装置３の表示制御部３１に出力する。次いで、表示制御部３１が、静止画像データＤｓに基づく表示用画像信号Ｓｅを光学エンジン３２に出力する。この際に、表示制御部３１は、例えば、静止画像データＤｓに対して画像処理を実行することにより、テレビ画像Ｐｔの内の文字画像Ｐｃの部分のみを表示するための表示用画像信号Ｓｅを生成する。続いて、光学エンジン３２が表示用画像信号Ｓｅに基づいて変調した投射光Ｌを射出することにより、図７に示すように、スクリーンパネル３３に文字画像Ｐｃ１〜Ｐｃ４にそれぞれ対応する静止画像Ｐｓ１〜Ｐｓ４で構成された静止画像Ｐｓが表示される。この場合、文字画像Ｐｃがスクリーンパネル３３の１画面分だけスクロールする毎に静止画像データＤｓが記録されているため、同図に示すように、文字の重複や欠落のない静止画像Ｐｓが確実に表示される。
【００２７】
次に、スクリーンパネル３３に表示されている静止画像Ｐｓを印刷するときには、リモコン８の印刷ボタン８１ｅを操作する。これに応じて、リモコン８が印刷ボタン８１ｅに対応する赤外線操作信号Ｓｉ（印刷指示信号）を出力する。次いで、主制御部５は、赤外線操作信号Ｓｉに従い、静止画像データＤｓをプリンタ７の印刷制御部７１に出力する。続いて、印刷制御部７１が、静止画像データＤｓに基づいて印刷用データＤｐを生成して印刷機構７２に出力する。これに応じて、印刷機構７２が印刷用データＤｐに基づくテレビ画像Ｐｔを印刷する。この場合、文字画像Ｐｃがスクリーンパネル３３の１画面分だけスクロールする毎に静止画像データＤｓが記録されているため、文字の重複や欠落のない静止画像Ｐｓが確実に印刷される。なお、静止画像メモリ６３に記録させた静止画像データＤｓを消去する際には、リモコン８の消去ボタン８１ｆを操作する。これに応じて、主制御部５が制御信号Ｓｃを出力することにより、記録制御部６１によって静止画像データＤｓが消去される。
【００２８】
このように、このテレビ１によれば、記録制御部６１が、記録を指示する赤外線操作信号Ｓｉを入力したときにその時点のテレビ画像Ｐｔの画像データＤｇ（静止画像Ｐｓ）を静止画像データＤｓとして静止画像メモリ６３に記録すると共に、テレビ画像Ｐｔに含まれている文字画像Ｐｃがスクリーンパネル３３の１画面分だけスクロールされる毎に静止画像データＤｓを静止画像メモリ６３に記録することにより、文字画像Ｐｃのスクロール速度に拘わらず、文字の欠落を生じさせることなくスクリーンパネル３３の１画面に表示される分量ずつの静止画像Ｐｓを確実に記録することができる。また、各静止画像Ｐｓ内に互いに重複する部分が生じないため、文字画像Ｐｃ内の全ての文字情報を必要最小限の数の静止画像Ｐｓで効率良く記録することができる。したがって、静止画像メモリ６３のメモリの消費量を十分に低減することができる。
【００２９】
また、記録制御部６１が、バッファ６２に更新記録させた画像データＤｇ（画像フレーム）と静止画像メモリ６３に記録されている最新の静止画像データＤｓとを比較することによって文字画像Ｐｃの１画面分のスクロールを検出することにより、簡易な構成でありながら文字画像Ｐｃの１画面分のスクロールを確実に検出することができる。
【００３０】
また、記録制御部６１が、文字画像Ｐｃのスクロール表示が終了したときに静止画像メモリ６３による静止画像データＤｓの記録を停止させることにより、例えば、不要な画像データが継続して記録されることに起因する静止画像メモリ６３の記録効率の低下を確実に防止することができる。
【００３１】
また、表示制御部３１が、静止画像の表示を指示する赤外線操作信号Ｓｉを入力したときに静止画像メモリ６３に記録されている静止画像データＤｓに基づく静止画像Ｐｓをスクリーンパネル３３に表示させることにより、文字の重複や欠落のない静止画像Ｐｓを任意に表示させることができるため、例えば、テレビ番組中に文字で表示された各種の情報を確実かつ容易に認識させることができる。
【００３２】
また、印刷制御部７１が、印刷を指示する赤外線操作信号Ｓｉを入力したときに静止画像メモリ６３に記録されている静止画像データＤｓに基づく静止画像Ｐｓを印刷機構７２に印刷させることにより、文字の重複や欠落のない静止画像Ｐｓを確実に印刷することができる。
【００３３】
なお、本発明は、上記の構成に限定されない。例えば、リアプロジェクション方式でスクリーンパネル３３に画像を表示する表示装置３を備えたテレビ１を例に挙げて説明したが、本発明における表示装置には、液晶パネル、プラズマディスプレイおよびＣＲＴなどの各種の表示手段が含まれる。また、チューナ２によって受信された放送信号Ｓｂに基づくテレビ画像Ｐｔから静止画像Ｐｓを取り込む例について上記したが、例えば、ＶＴＲ、ＤＶＤ再生装置およびハードディスクレコーダ等の各種の外部装置から入力した画像データ（画像信号）に基づく動画像から静止画像を取り込む際に本発明を適用することができる。また、文字画像Ｐｃのスクロール表示が終了したときに記録制御部６１が記録処理を停止する例について上記したが、例えば、記録ボタン８１ｂを操作した時点からリモコン８の操作によって設定した所定時間を経過した時点で記録処理を停止させる構成を採用することもできる。また、記録停止ボタンを配設してそのボタン操作に応じて記録処理を停止させる構成を採用することもできる。さらに、静止画像データＤｓを静止画像メモリ６３に記録させる構成例について上記したが、静止画像メモリ６３に代えて、テレビ１の外部に設けたメモリやハードディスク装置（本発明における第１記録部の他の一例）に静止画像データＤｓを記録させる構成を採用することもできる。
【図面の簡単な説明】
【００３４】
【図１】テレビ１の構成を示すブロック図である。
【図２】テレビ１の正面図である。
【図３】文字画像Ｐｃ１を含むテレビ画像Ｐｔの表示画面図である。
【図４】文字画像Ｐｃ２を含むテレビ画像Ｐｔの表示画面図である。
【図５】文字画像Ｐｃ３を含むテレビ画像Ｐｔの表示画面図である。
【図６】文字画像Ｐｃ４を含むテレビ画像Ｐｔの表示画面図である。
【図７】静止画像Ｐｓの表示画面図である。
【符号の説明】
【００３５】
１  テレビ、３  表示装置、７  プリンタ、３１  表示制御部、３３  スクリーンパネル、６１  記録制御部、６２  バッファ、６３  静止画像メモリ、７１  印刷制御部、７２  印刷機構、Ｐｃ１〜Ｐｃ４  文字画像、Ｐｓ，Ｐｓ１〜Ｐｓ４  静止画像、Ｐｔ  テレビ画像、Ｓｉ  赤外線操作信号
【図１】
2005322978.tif 000003
【図２】
2005322978.tif 000004
【図３】
2005322978.tif 000005
【図４】
2005322978.tif 000006
【図５】
2005322978.tif 000007
【図６】
2005322978.tif 000008
【図７】
2005322978.tif 000009